(57)【要約】　　　（修正有）【課題】墓参りに際して香華をたむける折りに御本尊様と御先祖様とを同時に合掌できるとともに仏像が風雨に曝されるのを低減した、墓石を提供する。【解決手段】墓石の竿の表面上部に横の長さが竿の幅の３０〜４０％で縦の長さが竿の高さの１０〜２０％の寸法をもつ仏像を彫り込みによって立体的に形成して成る。墓石の竿の高さを標準寸法より若干長く形成する。墓石の竿の表面周囲に額縁を形成する。仏像の表面に金箔仕上げを施す。【選択図】図１
0003098706.tif 000002
【実用新案登録請求の範囲】
【請求項１】
墓石の竿の上部に横の長さが竿の幅の３０〜４０％で縦の長さが竿の高さの１０〜２０％の寸法からなる仏像を彫り込みによって立体的に形成して成ることを特徴とする墓石。
【請求項２】
墓石の竿の高さを標準寸法より若干長く形成することを特徴とする請求項１記載の墓石
【請求項３】
墓石の竿の表面周囲に額縁を形成することを特徴とする請求項１又は請求項２記載の墓石
【請求項４】
仏像の表面に金箔仕上げを施すことを特徴とする請求項１乃至請求項３のいずれか１項に記載の墓石。
【請求項５】
仏像の表面に塗料を塗布することを特徴とする請求項１乃至請求項３のいずれか１項に記載の墓石。
【考案の詳細な説明】
【０００１】
【考案の属する技術分野】
本考案は、墓石、特に墓石の上部に載置する竿に関する。
【０００２】
【従来の技術】
従来の墓石は、中台、上台及び竿とから組合わせ構築され、墓石の竿の表面には、例えば「何々家之墓」、「何々家先祖代々之墓」等、種々の文字のみが刻設されているのが多く、まれに竿表面の上部に家紋が刻設されているのが見受けられる。
また、従来の墓所の竿の表現を改め、信仰心の深さと家の風格を表すため、竿の表面上部に大きく仏像画を刻設し、その下に何々家之墓等の文字を刻設するものが知られている（例えば、特許文献１参照）。
【０００３】
【特許文献１】
実願昭５９−５９１３３号（実開昭６０−１７０４５４号）のマイクロフィルム
【０００４】
【考案が解決しようとする課題】
しかしながら、仏像画を竿表面に単に刻設するだけでは、信仰心の深さを表しているものの、平面的なイメージで立体感に乏しいため、通常我々が寺社仏閣において合掌するところの仏様等とは違ったイメージを与えるだけではなく、仏像画が風雨に曝されるといった問題があった。
また、竿表面に大きく仏像画を刻設したものでは、標準寸法の竿を用いた場合、竿表面に対し仏像画の占める割合が大きく、仏像画の下に刻設される「何々家之墓」等の文字が小さくならざるを得ないため、両者のバランスが悪く、結果として、墓参する者の信仰心と祖先の霊を祀る気持ちの双方をバランス良く満たすことができないという問題があった。
【０００５】
本考案は、上記の点に鑑みてなされたもので、竿の上部に阿弥陀如来、大日如来、釈迦如来、観音菩薩又はお地蔵様の像（本考案においては、これらを総称して「仏像」という。）を彫り込みによって立体的に形成することにより、墓参りに際して香華をたむける折りに御本尊様と御先祖様とを同時に合掌できるとともに仏像に立体感を持たせることができ、また、像が風雨に曝されるのを低減できる墓石を提供することを目的とする。
特に、竿の高さ寸法を標準寸法より若干長く形成することにより竿のバランスが良くすることができ、また、竿の表面に額縁を形成することにより立体感を出すとともに仏像及び文字を保護することのできる墓石を提供することを目的とする。
また、仏像の表面を金箔仕上げ等することにより、神々しい仏像を備えた墓石を提供することを目的とする。
【０００６】
【課題を解決するための手段】
上記目的を達成するため本考案の墓石は、墓石の竿の上部に横の長さが竿の幅の３０〜４０％で縦の長さが竿の高さの１０〜２０％の寸法からなる仏像を彫り込みによって立体的に形成して成ることを特徴とする。
また、本考案の墓石は、墓石の竿の高さを標準寸法より若干長く形成することを特徴とする。
また、本考案の墓石は、墓石の竿の表面周囲に額縁を形成することを特徴とする。
また、本考案の墓石は、仏像の表面に金箔仕上げを施すことを特徴とする。
また、本考案の墓石は、仏像の表面に塗料を塗布することを特徴とする。
【０００７】
【考案の実施の形態】
以下、本考案による実施の形態を図面を参照しながら説明する。
図１は、墓石の一例を示すものであり、墓石は上から順に竿１、スリン（あるいは蓮華）２、上台３及び下台４から構成されている。墓石は標準的な墓石寸法が定められており、通常、８寸、９寸、１０寸、１１寸及び１２寸のものがある。例えば、１０寸の墓石の場合、竿１の寸法は、幅１０寸×奥行１０寸×高さ２６寸である。なお、竿１の上端には、香箱５が形成される。
【０００８】
竿１の表面６上部には、阿弥陀如来、大日如来、釈迦如来、観音菩薩又はお地蔵様の像であるところの仏像を彫り込み形成する。このため、竿１の高さは標準寸法より若干長く形成した方が竿表面に形成される仏像及び文字のバランスが良くなる。
【０００９】
以下、墓石寸法が１０寸の場合を例にとり説明する。
墓石寸法が１０寸の、竿１の標準の高さは２６寸であるが、本考案においては、例えば、１．５寸（標準寸法の高さの約６％）長くし、２７．５寸とすることが好ましい。これは、仏像の下に刻設する文字のスペースを確保するためのものである。また、好ましくは、竿１の表面６に、その周囲に例えば幅１寸の額縁７を全周にわたって形成する。額縁７は、該額縁７の部分を残して竿１の表面を３分の深さで削り落とすことにより形成される。
【００１０】
図２に示すように、竿１の表面６上部には、仏像８を彫り込み形成する。
仏像８の大きさは、墓石寸法が１０寸の場合、横３．５寸×縦４寸×奥行き１寸３分とする。本例では、竿の幅は１０寸、高さは２７．５寸であるから、仏像８の横の寸法は竿の幅の３５％、縦の寸法は竿の高さの約１５％となっている。墓石寸法に応じて竿の寸法も変わるが竿１の表面における仏像及び文字の配置バランスを考慮して、仏像の大きさは、横が竿の幅の３０〜４０％、縦が竿の高さの１０〜２０％が好ましい。
【００１１】
竿１の表面６は幅１寸の額縁７を残して３分の深さで削り落とされるが、その際、仏像８を形成する部分も、額縁７と同様、削り落とさずに残しておき、仏像８が表面６から浮き出るようにすることが好ましい。また、仏像８の前面と額縁７表面は面一に形成されるから、仏像８が雨露にまともに曝されることを防止できる。
【００１２】
図２の仏像８は、観音菩薩の座像を丸彫で彫刻したものであり、その周囲が表面６から１寸の深さで彫り込まれることにより１寸３分の奥行きをもった像が立体的に形成されている。周囲の彫り込み部９の形状は、例えば図２に示すようなもの等、任意であり、最大幅が４．５寸、最大高さが４．５寸である。彫り込み部９を形成する際、図２に示すように彫り込み部９の形状に合わせて彫り込み部９の上部に位置する額縁７をその幅の半分である最大で５分程度下方から削り落とし、その削り落とされた額縁７の内縁から５分の間隔をもって彫り込み部９を形成することにより仏像８を形成する。このようにすることにより、竿１の高さ方向スペースを有効に利用でき、竿１の高さを仏像８の高さ程長くしなくてもバランス良く、仏像と文字とを配置できる。また、上辺の額縁７を削ることなくその内縁から５分離して彫り込み部９を形成しても良い。さらに、彫り込み部９の周囲に額縁７と同じ高さの縁取りを設けても良い。
【００１３】
墓石の竿１の材料には、天然石を用いるが、例えば、白御影石を用いた場合、白地に黒雲母の黒点が点在するため、場合によっては、この黒点が仏像８の例えば顔の部分に位置してしまうことも出てくる。このような場合には、仏像８の顔にあざあるいは傷状のものがあるかのような印象を与えるため、製品として出荷出来ないことになり、歩留まりが悪くなる。これを解消するため、仏像８の表面に油性の塗料あるいは金粉を塗布したり、金箔を張り付けた金箔仕上げすることが望ましい。特に、仏像８の表面に金箔を張り付けると、仏像８の部分が金色に輝き、神々しい印象を与えることができる。また、塗料あるいは金粉を塗布したり、金箔仕上げすることにより、仏像の表面を保護することができる。
なお、竿１の材料として白御影石以外を用いた場合でも、お客様の要望により金箔仕上げ等を施すことはもちろん可能である。
【００１４】
このように形成された竿１の仏像８の下には、「何々家之墓」あるいは「何々家先祖代々之墓」等、通常通りに文字を刻設して用いる。
【００１５】
仏像８としては、阿弥陀如来、大日如来、釈迦如来、観音菩薩又はお地蔵様の座像又は立像であり、その形状は種々採用できるものである。また、上記においては墓石寸法が１０寸の場合を例にとり説明したが、墓石寸法が１１寸の場合は、竿１の標準の高さは２８寸であるから、竿１の高さを長くする場合は、例えば、２寸（標準寸法の高さの約７％）長くして３０寸とする。竿１の高さは標準寸法の５％〜１０％の範囲で長くするのが好ましい。
【００１６】
観音菩薩は、この世の苦しみを差別なく、誰でも極楽世界へ導いてくださる菩薩様であり、また、地蔵様は、あの世に行く前に苦しみを救ってくださる地蔵様であり、さらに、阿弥陀如来、大日如来、釈迦如来は、極楽世界の教主であり、永遠の命を開眼してくださる佛様であるから、自分の信仰する仏像を選択し墓石の竿に彫り込んでおくことにより、御先祖様と一緒に御本尊様に対して合掌することができる。
【００１７】
【考案の効果】
本考案は次のような優れた効果を奏する。
（１）墓参りに際して香華をたむける折りに御本尊様と御先祖様とを同時に合掌できる墓石を提供できる。
（２）仏像に立体感を持たせることができ、墓参り者の信仰心を満たすことができる。
（３）竿表面に、仏像と文字とをバランス良く配置することができ、御本尊様と御先祖様の双方に対して心からお参りできる。
（４）仏像が風雨に曝されるのを低減することができる。
（５）仏像の部分が金色に輝き、神々しい印象を与えることができる。
（６）仏像の表面を風雨等から保護することができる。
【図面の簡単な説明】
【図１】本考案の実施の形態に係る墓石の斜視図である。
【図２】本考案の実施の形態に係る竿の上部を示す正面図である。
【図３】図２のＡ−Ａ断面図である。
【符号の説明】
１　竿１
２　スリン
３　上台
４　下台
５　香箱
６　竿の表面
７　額縁
８　仏像
９　彫り込み部
【図１】
0003098706.tif 000003
【図２】
0003098706.tif 000004
【図３】
0003098706.tif 000005